(57)【要約】【課題】専用の圧着葉書用紙や加圧設備を必要とせず、一般的に普及しているプリンターにより情報を印字し、専用ではなく市販の一般的な葉書に貼り付けることができるとともに、隠蔽葉書以外にも一般的な応募券などにも応用可能な隠蔽印字用紙を提供すること。【解決手段】用紙本体１２に塗布形成した感圧発色剤層１５をたとえば黒色材料などによる隠蔽用フィルム１３で隠蔽した状態で印字を可能とすることに着目したもので、用紙本体１２に印字した情報を隠蔽可能な隠蔽印字用紙であって、用紙本体１２の表面に感熱発色剤層１５を形成して情報を印字可能とするとともに、感熱発色剤層１５の上層側に不透明な隠蔽用フィルム１３を取り除き可能に被覆してあることを特徴とする。【選択図】図２
2009179011.tif 000002
【特許請求の範囲】
【請求項１】
用紙本体に印字した情報を隠蔽可能な隠蔽印字用紙であって、
前記用紙本体の表面に感熱発色剤層を形成して前記情報を印字可能とするとともに、
この感熱発色剤層の上層側に不透明な隠蔽用フィルムを取り除き可能に被覆してあることを特徴とする隠蔽印字用紙。
【請求項２】
前記隠蔽用フィルムは、前記感熱発色剤層における前記情報の印字領域を囲むその周縁部のみを前記用紙本体に接着してあることを特徴とする請求項１記載の隠蔽印字用紙。
【請求項３】
前記隠蔽用フィルムを通して、前記感熱発色剤層を加熱可能としたことを特徴とする請求項１記載の隠蔽印字用紙。
【請求項４】
前記用紙本体の裏面に粘着剤層を形成し、この粘着剤層の裏面に台紙を仮着してあることを特徴とする請求項１記載の隠蔽印字用紙。
【請求項５】
前記用紙本体の一対を互いに並列して一体的に設けるとともに、いずれか一方の前記用紙本体のみに前記隠蔽用フィルムを設けていることを特徴とする請求項１記載の隠蔽印字用紙。
【発明の詳細な説明】
【技術分野】
【０００１】
本発明は隠蔽印字用紙にかかるもので、とくに隠蔽葉書や応募券などのいわゆる目隠しシールなどとして利用可能な隠蔽印字用紙に関するものである。
【背景技術】
【０００２】
従来から、葉書などに印刷、印字あるいは手書きなどした機密情報、ないしは個人情報保護法の施行にともなって各種情報を隠蔽する手段のひとつとして、いわゆる目隠しシールがある。
図９は、上記目隠しシールを隠蔽葉書１（圧着葉書）として用いた場合を示す斜視図であって、隠蔽葉書１は、葉書二枚分の大きさを有し、情報印刷部２と、情報印刷部２に折畳み線３で折り畳み可能に接続している隠蔽部４と、を有する。
【０００３】
情報印刷部２には、隠蔽したい情報（たとえば、「あなたの番号は、・・・」など）をあらかじめ印刷してある。
【０００４】
隠蔽部４には、情報印刷部２に対向する側の面に圧着糊面５を形成し、折畳み線３で折り畳んだ状態で所定の圧力で押圧することにより情報印刷部２および隠蔽部４を圧着し、隠蔽部４を情報印刷部２からはがしたのちには、通常の力では再度の圧着が困難であるようにしている。
隠蔽部４の圧着糊面５とは反対側の面に、送付先の名称および住所などを印刷し、情報印刷部２側の上記情報を隠蔽した状態で発送する。
【０００５】
こうした構成の隠蔽葉書１では、葉書二枚分の大きさを有する専用の圧着葉書用紙を準備しなければならないこと、加圧して隠蔽葉書１を作成するために専用の加圧設備を必要とすること、情報印刷部２側に各種情報を印刷する際に圧着糊面５の圧着糊が印字設備に付着してしまうこと、さらには、隠蔽部４を情報印刷部２に加圧し一体化したあとでは印字した各種情報を事前に確認することができない（印字データ以外に確認することができない）こと、などの種々の問題がある。
また、隠蔽葉書１を帯状として一般的なプリンターなどにより情報印刷部２の情報を簡単に、かつ作業性良好に印字することが困難であるという問題もある。
【０００６】
【特許文献１】実用新案登録第３０７８６９３号公報
【発明の開示】
【発明が解決しようとする課題】
【０００７】
本発明は以上のような諸問題にかんがみなされたもので、専用の圧着葉書用紙や加圧設備を必要としない隠蔽印字用紙を提供することを課題とする。
【０００８】
また本発明は、一般的に普及しているプリンターにより情報を印字し、専用ではなく市販の一般的な葉書に貼り付けることができる隠蔽印字用紙を提供することを課題とする。
【０００９】
また本発明は、印字した各種情報を事前に確認することができる隠蔽印字用紙を提供することを課題とする。
【００１０】
また本発明は、隠蔽葉書以外にも一般的な応募券などにも応用可能な隠蔽印字用紙を提供することを課題とする。
【課題を解決するための手段】
【００１１】
すなわち本発明は、用紙本体に塗布形成した感圧発色剤層をたとえば黒色材料などによる隠蔽用フィルムで隠蔽した状態で印字を可能とすることに着目したもので、用紙本体に印字した情報を隠蔽可能な隠蔽印字用紙であって、上記用紙本体の表面に感熱発色剤層を形成して上記情報を印字可能とするとともに、この感熱発色剤層の上層側に不透明な隠蔽用フィルムを取り除き可能に被覆してあることを特徴とする隠蔽印字用紙である。
【００１２】
上記隠蔽用フィルムは、上記感熱発色剤層における上記情報の印字領域を囲むその周縁部のみを上記用紙本体に接着してあることができる。
【００１３】
上記隠蔽用フィルムを通して、上記感熱発色剤層を加熱可能とすることができる。
【００１４】
上記用紙本体の裏面に粘着剤層を形成し、この粘着剤層の裏面に台紙を仮着してあることができる。
【００１５】
上記用紙本体の一対を互いに並列して一体的に設けるとともに、いずれか一方の上記用紙本体のみに上記隠蔽用フィルムを設けていることができる。
【発明の効果】
【００１６】
本発明による隠蔽印字用紙においては、用紙本体に塗布形成した感圧発色剤層を隠蔽用フィルムで隠蔽した状態で印字を可能としたので、隠蔽用フィルムで被覆された状態で情報が印字され、必要な情報隠蔽機能を保有することができるとともに、一般的なプリンターに装填可能である。
【発明を実施するための最良の形態】
【００１７】
本発明は、専用の圧着用紙ではなく一般的な用紙本体に感圧発色剤層および隠蔽用フィルムを積層したので、専用の加圧設備などを必要とせず、安価に製造して簡単に利用することができる隠蔽印字用紙を実現した。
【実施例】
【００１８】
つぎに本発明の第１の実施例による隠蔽印字用紙１０を図１ないし図６にもとづき説明する。
図１は、隠蔽印字用紙１０の平面図、図２は、図１のＩＩ−ＩＩ線断面図であって、隠蔽印字用紙１０は、最下層に位置する帯状の台紙１１と、中間層に位置するラベル基材である用紙本体１２と、最上層に位置する隠蔽用フィルム１３と、を有する三層構造である。
用紙本体１２の裏面には、粘着剤層１４を塗布形成して、粘着剤層１４の裏面に台紙１１を仮着している。
用紙本体１２の表面には、感熱発色剤層１５を形成して情報を印字可能としている。
【００１９】
隠蔽用フィルム１３は、感熱発色剤層１５における情報の印字領域１５Ａを囲むその周縁部１５Ｂのみに接着剤１６を塗布して、その周縁部１５Ｂのみを感熱発色剤層１５（用紙本体１２）に接着し、感熱発色剤層１５の上層側に取り除き可能にこれを被覆してある。
隠蔽用フィルム１３は、たとえば黒色素を混合したＰＥＴ（ポリエチレンテレフタレート）などの黒色フィルム材料などであって、不透明であり、感熱発色剤層１５による印字情報１５Ｃ（図４）を外部から視認しにくい材料、ないしは印字情報１５Ｃとの組み合わせにより視認不可能な材料であれば足りる。
また隠蔽用フィルム１３は、加熱により変質するものではなく、隠蔽用フィルム１３を通して感熱発色剤層１５を加熱可能としている。
【００２０】
図３は、隠蔽印字用紙１０に印字するための一般的なサーマルプリンター１７の概略側面図であって、サーマルプリンター１７は、サーマルヘッド１８と、プラテンローラー１９と、位置検出センサー２０と、を有する。
サーマルヘッド１８およびプラテンローラー１９の間に帯状の隠蔽印字用紙１０を挟持し、サーマルヘッド１８の発熱素子２１により、隠蔽用フィルム１３を介して感熱発色剤層１５を加熱可能とする。
【００２１】
なお、サーマルヘッド１８の発熱素子２１に対する隠蔽印字用紙１０の相対位置を検出するために、位置検出センサー２０により検出可能な位置検出マーク２２を台紙１１の裏面にあらかじめ印刷しておくことができる。
あるいは、上流側および下流側で互いに隣り合う用紙本体１１の間のギャップ２３を位置検出センサー２０により検出するようにしてもよい。
【００２２】
こうした構成の隠蔽印字用紙１０において、帯状の隠蔽印字用紙１０をサーマルプリンター１７に装填可能であって、作業性良好に印字操作を可能であるとともに、用紙本体１２における感熱発色剤層１５内の印字情報１５Ｃを隠蔽用フィルム１３により隠蔽可能である。
すなわち図４は、サーマルプリンター１７により感熱発色剤層１５の印字領域１５Ａに印字して印字情報１５Ｃを印字した断面図であって、隠蔽用フィルム１３が被覆されているため、印字情報１５Ｃが外部からは視認不可能となっている。
【００２３】
図５は、市販の葉書Ｐに隠蔽印字用紙１０を貼り付けた状態を示す断面図であって、台紙１１から単葉の隠蔽印字用紙１０（用紙本体１２および隠蔽用フィルム１３）をはがし、粘着剤層１４により葉書Ｐに貼り付けている。この貼付け作業には、一般的なラベル自動貼付け装置（図示せず）を利用可能であって、作業性を向上させることができる。
葉書Ｐの反対側の面には、葉書Ｐの宛先情報Ｑをあらかじめ印刷してある。
この状態で発送可能であり、既述のように感熱発色剤層１５の印字情報１５Ｃは隠蔽用フィルム１３により隠蔽されているので、外部から見ることはできない。
【００２４】
図６は、葉書Ｐに貼った隠蔽印字用紙１０から隠蔽用フィルム１３を除去した状態を示す断面図であって、葉書Ｐを受け取った本人が隠蔽用フィルム１３を破くことにより、あるいは取り除くことにより、用紙本体１２上の印字情報１５Ｃを判読し、確認することができる。
【００２５】
かくして、一般的な構成のサーマルプリンター１７により隠蔽印字用紙１０に任意の内容の印字情報１５Ｃを印字可能であるとともに、この印字情報１５Ｃを隠蔽用フィルム１３により隠蔽可能であり、必要な枚数の隠蔽印字用紙１０に必要な機密内容の印字情報１５Ｃを融通性を持って印字可能である。
さらに、帯状の台紙１１から用紙本体１２および隠蔽用フィルム１３をはがして粘着剤層１４により任意の書類（葉書Ｐ）に貼り付けて発送可能である。
受け取った本人が隠蔽用フィルム１３を取り除くことにより印字情報１５Ｃの内容を確認することができるもので、特別な圧着ないし印刷用紙を必要とせず、また圧着糊用の加圧設備を必要とせずに、隠蔽印字用紙１０を作成することができる。
【００２６】
図７は、本発明の第２の実施例による隠蔽印字用紙３０の平面図であって、隠蔽印字用紙３０は、上述の隠蔽印字用紙１０（図１）とは二倍以上の幅を有する帯状の台紙１１を有し、この台紙１１上に左右一対の用紙本体１２を並列させて仮着している。それぞれの用紙本体１１の表面には前記感熱発色剤層１５を塗布形成している。
ただし、互いに並列している用紙本体１２のうち、いずれか一方の用紙本体１２のみに、隠蔽用フィルム１３を設け、前記隠蔽印字用紙１０と同様な積層構造を構成している（図２を参照）。
【００２７】
こうした構成の隠蔽印字用紙３０によれば、隠蔽印字用紙１０における用紙本体１２の感熱発色剤層１５に印字情報１５Ｃを印字すると同時に、並列している用紙本体１２の感熱発色剤層１５にも全く同じ内容の印字情報１５Ｃを印字しておくことができる。
したがって、隠蔽用フィルム１３により隠蔽されている印字情報１５Ｃの内容を隣の列の用紙本体１２における印字情報１５Ｃにより目視して、確認可能である。
【００２８】
図８は、本発明の第３の実施例による隠蔽印字用紙４０の平面図であって、隠蔽印字用紙４０は、用紙本体１２としてラベル基材ではなく下げ札基材として、用紙本体１２の裏面に前記粘着剤層１４を形成していない。
【００２９】
こうした構成の隠蔽印字用紙４０によっても、隠蔽用フィルム１３を通して感熱発色剤層１５に印字可能であるとともに、隠蔽用フィルム１３によりその印字内容を隠蔽可能であって、印字内容を「当たり」や必要な番号などとすれば、隠蔽印字用紙４０を応募券などとして利用可能である。
【図面の簡単な説明】
【００３０】
【図１】本発明の第１の実施例による隠蔽印字用紙１０の平面図である。
【図２】同、図１のＩＩ−ＩＩ線断面図である。
【図３】同、隠蔽印字用紙１０に印字するための一般的なサーマルプリンター１７の概略側面図である。
【図４】同、サーマルプリンター１７により感熱発色剤層１５の印字領域１５Ａに印字して印字情報１５Ｃを印字した断面図である。
【図５】同、葉書Ｐに隠蔽印字用紙１０を貼り付けた状態を示す断面図である。
【図６】同、葉書Ｐに貼った隠蔽印字用紙１０から隠蔽用フィルム１３を除去した状態を示す断面図である。
【図７】本発明の第２の実施例による隠蔽印字用紙３０の平面図である。
【図８】本発明の第３の実施例による隠蔽印字用紙４０の平面図である。
【図９】従来の目隠しシールを隠蔽葉書１（圧着葉書）として用いた場合を示す斜視図である。
【符号の説明】
【００３１】
１  隠蔽葉書（従来、図９）
２  情報印刷部
３  折畳み線
４  隠蔽部
５  圧着糊面
１０  隠蔽印字用紙（第１の実施例、図１）
１１  帯状の台紙
１２  用紙本体
１３  隠蔽用フィルム
１４  粘着剤層
１５  感熱発色剤層
１５Ａ  感熱発色剤層１５における情報の印字領域
１５Ｂ  感熱発色剤層１５の周縁部
１５Ｃ  感熱発色剤層１５の印字情報
１６  接着剤
１７  サーマルプリンター（図３）
１８  サーマルヘッド
１９  プラテンローラー
２０  位置検出センサー
２１  サーマルヘッド１８の発熱素子
２２  位置検出マーク
２３  上流側および下流側で互いに隣り合う用紙本体１１の間のギャップ（図１）
３０  隠蔽印字用紙（第２の実施例、図７）
４０  隠蔽印字用紙（第１の実施例、図８）
Ｐ    市販の葉書（図５）
Ｑ    葉書Ｐの宛先情報
【図１】
2009179011.tif 000003
【図２】
2009179011.tif 000004
【図３】
2009179011.tif 000005
【図４】
2009179011.tif 000006
【図５】
2009179011.tif 000007
【図６】
2009179011.tif 000008
【図７】
2009179011.tif 000009
【図８】
2009179011.tif 000010
【図９】
2009179011.tif 000011